(57)【要約】  本発明は、患者の骨構造に挿入された歯科インプラント（４）に順に固定され、当該支柱（３）にクリップ保持するための付加的な手段と、一時的な歯冠（８）の軸方向および回転方向の移動をいずれも防止する機械的な保持要素（９、１０、１１）とを有し、当該一時的な歯冠（８）の接合または封止によって移動不可能な連結を補完する支柱（３）に対して、一つまたは複数の歯の一時的な歯冠（８）を非最終的に固定するための支持体（１）に関する。
2010537682.tif 000002
【特許請求の範囲】
【請求項１】
通しボルト（７）によって非最終的な方法で、および、接合または封止によって一時的な歯冠（８）に対して移動不可能な方法で、インプラント（４）の支柱（３）に固定される一時的な歯冠（８）のための支持体において、
支柱（３）に固定するための付加的で非最終的な固定手段としてのクリップ保持システムと、
一時的な歯冠（８）の軸方向および回転方向の移動をいずれも防止する機械的な保持要素（９、１０、１１）と、を備えたことを特徴とする一時的な歯冠（８）のための支持体（１）。
【請求項２】
支柱（３）に固定するための付加的で非最終的な固定手段としてのクリップ保持システムは、その内壁に配置され、直径に沿った凸部および溝システム（５）によって形成されていることを特徴とする請求項1に記載の一時的な歯冠（８）のための支持体（１）。
【請求項３】
支柱（３）の頭部が、通しボルト（７）の頭部に対してストッパーとして機能する内側段部（６）のすぐ下に配置されるような内壁の高さ位置に、直径に沿った凸部および溝システム（５）が配置されていることを特徴とする請求項２に記載の一時的な歯冠（８）のための支持体（１）。
【請求項４】
機械的保持要素（９、１０、１１）は、一時的な歯冠（８）の回転方向のずれを防止する外周ノッチ（９）と、
一時的な歯冠（８）の軸方向のずれを防止する少なくとも一つの外周凹部（１０）と、
一時的な歯冠（８）の回転方向のずれを防止し、直径方向に対向すると共に軸方向に平行な、少なくとも２つの平坦カット部（１１）と、を有することを特徴とする請求項１に記載の一時的な歯冠（８）のための支持体（１）。
【請求項５】
外周ノッチ（９）は、円周方向に等間隔で配置されたくぼみであることを特徴とする請求項４に記載の一時的な歯冠（８）のための支持体（１）。
【請求項６】
外周凹部（１０）は、外周ノッチ（９）上に配置されていることを特徴とする請求項４または５に記載の一時的な歯冠（８）のための支持体（１）。
【請求項７】
外周凹部（１０）は、軸方向に平行な２つの平坦なカット部（１１）と交差していることを特徴とする請求項４乃至６のいずれか一項に記載の一時的な歯冠（８）のための支持体。
【請求項８】
開放ベース部（２）を含み、わずかに円錐台状の構造を有していることを特徴とする請求項１に記載の一時的な歯冠（８）のための支持体（１）。
【発明の詳細な説明】
【技術分野】
【０００１】
本発明の特許出願の対象は、歯科インプラントを受け入れる患者に、当該インプラントが挿入される外科活動（surgical act）において、インプラントに固定される一時的な歯を提供する支持体である。
【０００２】
より具体的には、本発明の対象は、患者の骨構造に挿入される歯科インプラントに順に固定される支柱に対して、一時的に固定することができる一つまたは複数の歯の一時的な歯冠のための支持体である。
【背景技術】
【０００３】
歯科インプラント技術は、現在広く知られており、専門家および患者により、一般的に使用され、かつ受け入れられている。当該技術は、対応するプロテーゼ（prosthesis）が順に連結されるインプラントに、歯根を取り換えることを可能にしている。
【０００４】
当該インプラントを埋め込む段階は、一般に、初期の埋め込み段階に集約される。続いてすぐ後に、最終的なプロテーゼを固定する段階である、最終段階までの待ち時間を含むオッセオインテグレーション（osseointegration）段階がある。
【０００５】
インプラントの挿入と最終的なプロテーゼの取付との間の当該オッセオインテグレーション期間は、場合により、２カ月〜６か月続き得る。この間、患者は、実の歯も人口の歯ももっていないため、正常な歯の美観を有していない。
【０００６】
このことは、明らかに、患者にとって深刻な問題であり、容姿のイメージおよび正常なそしゃく機能が著しく影響される。
【０００７】
これらの問題を解決するために、歯科インプラント学の分野において要素および方法が出現している。それは、インプラントに固定され、そのオッセオインテグレーション期間が終了すると、最終的なプロテーゼを取り付けるために容易に取り除くことができる一時的な歯を患者に提供するという試みである。
【０００８】
しかしながら、使用される方法および要素は、常に最適な結果を与えていない。なぜなら、あるケースでは、一時的な歯冠またはプロテーゼをインプラントに固定する、または取り除くための手術が、複雑なタスクとなっており、他のケースでは、ねじ込みによる保持のみである場合のように、当該一時的な歯冠またはプロテーゼが正確に固定されることがなく、摩擦が避けられない軸方向および回転方向のずれを経験するからである。
【発明の概要】
【０００９】
以下に述べる本発明の一時的な歯冠のための支持体は、上述した欠点を解決する。なぜなら、一方で、それは、一時的な歯冠を取り付けることおよび取り除くことを容易に行うと共に、簡素化する要素であり、他方で、その軸方向および回転方向のずれを防止し、骨に対する負荷力の正しい伝達、従ってインプラントレベル（implant level）における骨修復システムの生体刺激（biostimulation）を助成するからである。
【００１０】
したがって、より具体的には、本発明による一時的な歯冠のための支持体は、以下のように埋め込みプロセス（implantation process）に関連している。
【００１１】
インプラントが患者の骨構造に固定され、好ましくはチタニウムからなる支柱がねじによってそこに固定されると、この連結部の周りに位置する軟部組織（soft tissue）は、インプラントまたは支柱の肩部に当該軟部組織が進入することを防止するために縫合され、その後、本発明による支持体が、上述の支柱に取り付けられ、または固定され、次に、他の固定手段を用いて、存在している支持体に一時的な歯冠を連結する。このことは、本発明による支持体と一時的な歯冠との間の一体の連結を形成する。
【００１２】
このため、本発明による歯冠のための支持体は、一方で、インプラントにねじ込まれた支柱に固定するための非最終的な固定手段を備え、他方で、一時的な歯冠に対して移動不可能な連結を容易にする手段を備えている。
【００１３】
より具体的には、本発明による支持体は、開放されたベース部を含み、わずかに円錐台状（frustoconical）の構造を有し、チタニウム支柱に固定され、その後、以下の手段により、通しボルトを用いてインプラントに固定される。
−主要な迅速クリップ保持システム、および
−通しボルトによる保持
【００１４】
これらの固定手段は、いずれも非最終的である。すなわち、一時的な歯冠が、取り除かれて、例えば、最終的な歯冠を取り付ける場合に、これらの固定手段は、これらを順番に取り除くあるいは開放することを可能にする。
【００１５】
一時的な歯冠に対する本発明の支持体の連結に関して、支持体に対する歯冠の当該連結の軸方向および回転方向のずれまたは移動を防止する一連の機械的保持要素を、当該支持体の周囲に組み込むという結果として得られる。
【００１６】
より具体的には、当該保持要素は、異なる高さ位置に配置された一連の円周状ノッチまたは凹部によって形成される。ここには、接合材料がセットされた後に単位部材を形成する、歯の外形、および本発明の支持体の外表面に、一時的な歯冠を最終的に連結するための接合または封止に使用される材料が、収容される。
【００１７】
このため、一時的な歯冠および支持体の組立体が、インプラントに固定されたチタニウムの支柱に配置されると、この組立体は、すでに一時的な美観機能性を満足すると共に、歯科医または専門家が適切と考える場合には、そしゃく機能性でさえも満足することができる。
【図面の簡単な説明】
【００１８】
【図１】図１は、本発明による一時的な歯冠のための支持体を示すいくつかの図である。
【図２】図２は、前出の図の支持体を含み、一時的な歯冠の取り付けに関する要素の分解斜視図である。
【図３】図３は、前出の図面の組み立てられた組立体の作用位置の前方を示す斜視図である。
【図４】図４は、本発明による支持体とインプラントにねじ込まれた支柱との間の連結手段を示す断面図である。
【発明を実施するための形態】
【００１９】
説明を補足すると共に、本発明の好適な実施の形態によって本発明の特徴のより良い理解を助成するために、説明の一体部分として一組の図面が添付される。ここにおける図面は、特徴を限定することなく一例として示される。
【００２０】
図には、本発明による支持体（１）の可能な実施の形態が示されている。図１および図４に示されているように、支持体が、開放ベース部（２）を含み、円錐台状の構造を有していることがわかる。ここでは、チタニウム支柱（３）に固定するための図示しない固定手段は、通しボルトによってインプラント（４）に順に固定され、当該支柱（３）の頭部が、組立体の最終の保持のために使用される通しボルト（７）の頭部に対してストッパーとして機能する内側段部（６）のすぐ下に配置されるような内壁の高さ位置に配置され、直径に沿った凸部および溝システム（５）によって形成されている。
【００２１】
これらの固定手段は、既に述べたように、最終的ではない。すなわち、一時的な歯冠（８）が取り除かれるべきである場合に、これらの固定手段は、これらを順番に取り除くあるいは開放することを可能にする。
【００２２】
他方、図にも示されているように、本発明による支持体（１）と一時的な歯冠（８）との間の最終的な連結は、例えば半液体状態のアクリル樹脂を用いて接合または封止することにより最終的に連結されると、支持体（１）において一時的な歯冠（８）の当該連結の軸方向および回転方向のずれまたは移動をいずれも防止する機械的な保持要素（９、１０、および１１）を備えている。
【００２３】
より具体的には、本発明の可能な実施の形態により、当該保持要素は、
支持体（１）に設けられ、一時的な歯冠（８）の回転方向のずれを防止し、円周方向に等間隔で配置されたくぼみからなる外周ノッチ（９）と、
支持体（１）に設けられ、一時的な歯冠（８）の軸方向のずれを防止する少なくとも一つの外周凹部（１０）と、
支持体（１）に設けられ、一時的な歯冠（８）の回転方向のずれを防止し、直径方向に対向すると共に軸方向に平行な、少なくとも２つの平坦カット部（１１）と、
によって形成されている。
【図１】
2010537682.tif 000003
【図２】
2010537682.tif 000004
【図３】
2010537682.tif 000005
【図４】
2010537682.tif 000006
【手続補正書】
【提出日】平成21年11月16日(2009.11.16)
【手続補正１】
【補正対象書類名】特許請求の範囲
【補正対象項目名】全文
【補正方法】変更
【補正の内容】
【特許請求の範囲】
【請求項１】
通しボルト（７）によって非最終的な方法で、および、接合または封止によって一時的な歯冠（８）に対して移動不可能な方法で、インプラント（４）の支柱（３）に固定される一時的な歯冠（８）のための支持体において、
開放ベース部（２）と、
支柱（３）に固定するための付加的で非最終的な固定手段としてのクリップ保持システムと、
一時的な歯冠（８）の軸方向および回転方向の移動をいずれも防止する機械的な保持要素（９、１０、１１）と、を備え、
支柱（３）に固定するための付加的で非最終的な固定手段としてのクリップ保持システムは、支持体（１）の内壁に配置され、直径に沿った凸部および溝システム（５）によって形成されていることを特徴とする一時的な歯冠（８）のための支持体（１）。
【請求項２】
支柱（３）の頭部が、通しボルト（７）の頭部に対してストッパーとして機能する内側段部（６）のすぐ下に配置されるような内壁の高さ位置に、直径に沿った凸部および溝システム（５）が配置されていることを特徴とする請求項１に記載の一時的な歯冠（８）のための支持体（１）。
【請求項３】
機械的保持要素（９、１０、１１）は、一時的な歯冠（８）の回転方向のずれを防止する外周ノッチ（９）と、
一時的な歯冠（８）の軸方向のずれを防止する少なくとも一つの外周凹部（１０）と、
一時的な歯冠（８）の回転方向のずれを防止し、直径方向に対向すると共に軸方向に平行な、少なくとも２つの平坦カット部（１１）と、を有することを特徴とする請求項１に記載の一時的な歯冠（８）のための支持体（１）。
【請求項４】
外周ノッチ（９）は、円周方向に等間隔で配置されたくぼみであることを特徴とする請求項３に記載の一時的な歯冠（８）のための支持体（１）。
【請求項５】
外周凹部（１０）は、外周ノッチ（９）の上方に配置されていることを特徴とする請求項３または４に記載の一時的な歯冠（８）のための支持体（１）。
【請求項６】
外周凹部（１０）は、軸方向に平行な２つの平坦なカット部（１１）と交差していることを特徴とする請求項３乃至５のいずれか一項に記載の一時的な歯冠（８）のための支持体。
【請求項７】
わずかに円錐台状の構造を有していることを特徴とする請求項１に記載の一時的な歯冠（８）のための支持体（１）。
【国際調査報告】
2010537682.tif 000007
2010537682.tif 000008
2010537682.tif 000009
2010537682.tif 000010